(57)【要約】【課題】  山や川などの自然地域に築造された高速道路等の側溝に落ちた小動物が、地力で確実に自然地域に戻ることができる小動物脱出補助装置を提供する。【解決手段】  側溝１を形成する左溝壁１ａと右溝壁１ｂの上端部間に、所望間隔をあけて上流側横梁２と下流側横梁３と支持棒８とを相平行させて順次架設する。また、上流側横梁２と下流側横梁３との間に、幅が側溝幅Ｗの１／２以下である踏板４を、その一方側端を、自然地域Ｎ側である左溝壁１ａまたは右溝壁１ｂに近接させた状態で架設する。また、下端が溝底１ｃに達し且つ、上流に向かって上向きで、幅が踏板４と略等しいところの揺動板５の上端下面を支持棒８に回動自在に外嵌した円筒体１０に固着すると共に、踏板４に連続する状態で揺動自在に配置する。そして、踏板４および揺動板５が設けられていない部分を、水の円滑な流れを促し、且つ、小動物Ｓが移動できない空間部９とする。【選択図】      図２
0003122074.tif 000002
【実用新案登録請求の範囲】
【請求項１】
山や川などの自然地域（Ｎ）に築造された高速道路などの道路（Ｒ）の両側に形成された側溝（１）に取付けられ，該側溝に落ちた昆虫や蛙などの小動物（Ｓ）を，自力でそこから前記自然地域に脱出させることのできる小動物脱出補助装置であって、前記側溝を形成する左溝壁（１ａ）と右溝壁（１ｂ）の上端部間に，所望間隔をあけて上流側横梁（２）と下流側横梁（３）と支持棒（８）とを相平行させて順次架設し、前記上流側横梁と下流側横梁との間に，幅が側溝幅（Ｗ）の１／２以下である踏板（４）を，その一方側端を，前記自然地域側である前記左溝壁または右溝壁に近接させた状態で架設し、下端が溝底（１ｃ）に達し且つ，上流に向かって上向きで，幅が前記踏板と略等しいところの揺動板（５）の上端を支持棒（８）に支持させると共に，踏板に連続する状態で揺動自在に配置し、前記踏板および揺動板が設けられていない部分を，水の円滑な流れを促し，かつ，小動物が移動できない空間部（９）としたことを特徴とする小動物脱出補助装置。
【請求項２】
山や川などの自然地域（Ｎ）に築造された高速道路などの道路（Ｒ）の両側に形成された側溝（１）に取付けられ，該側溝に落ちた昆虫や蛙などの小動物（Ｓ）を，自力でそこから前記自然地域に脱出させることのできる小動物脱出補助装置であって、前記側溝を形成する左溝壁（１ａ）と右溝壁（１ｂ）の上端部間に，所望間隔をあけて上流側横梁（２）と下流側横梁（３）と支持棒（８）とを相平行させて順次架設し、前記上流側横梁と下流側横梁との間に，幅が側溝幅（Ｗ）の１／２以下である踏板（４）を，その一方側端を，前記自然地域側である前記左溝壁または右溝壁に近接させた状態で架設し、下端が溝底（１ｃ）に達し且つ，上流に向かって上向きで，幅が前記踏板と略等しいところの揺動板（５）の上端下面を支持棒（８）に回動可能に外嵌した円筒体（６）に固着すると共に，踏板に連続する状態で揺動自在に配置し、前記踏板および揺動板が設けられていない部分を，水の円滑な流れを促し，かつ，小動物が移動できない空間部（９）としたことを特徴とする小動物脱出補助装置。
【請求項３】
山や川などの自然地域Ｎに築造された高速道路などの道路Ｒの両側に形成された側溝（１）に取付けられ，該側溝に落ちた昆虫や蛙などの小動物（Ｓ）を，自力でそこから前記自然地域に脱出させることのできる小動物脱出補助装置であって、前記側溝を形成する左溝壁（１ａ）と右溝壁（１ｂ）の上端部間に，所望間隔をあけて上流側横梁（２）と下流側横梁（３）と支持棒（８）とを相平行させて順次を架設し、前記上流側横梁と下流側横梁との間に，幅が側溝幅（Ｗ）の１／２以下である踏板（４）を，その一方側端を，前記自然地域側である前記左溝壁または右溝壁に近接させた状態で架設し、下端が溝底（１ｃ）に達し且つ，上流に向かって上向きで，幅が前記踏板と略等しいところの揺動板（５）の上端近傍下面を支持棒（８）に載せると共に，踏板に連続する状態で設け、前記踏板の下流側上面と揺動板の上端部上面との間に，可撓性材料製の薄材片（７）を掛け渡して取付け，両者間の隙間や段差を塞いで平滑面を形成すると共に，前記揺動板を揺動自在とし、前記踏板および揺動板が設けられていない部分を，水の円滑な流れを促し，かつ，小動物が移動できない空間部（９）としたことを特徴とする小動物脱出補助装置。
【請求項４】
上流側横梁（２）および下流側横梁（３）並びに支持棒（８）を、小動物が伝い歩くことが困難な肉細で断面円形状に形成したことを特徴とする請求項１，２または３に記載の小動物脱出補助装置。
【考案の詳細な説明】
【技術分野】
【０００１】
本考案は、山や川などのいわゆる自然地域に築造された高速道路をはじめとする道路の両側に形成された側溝に取付けられ、当該側溝に落ちた昆虫や蛙などの小動物を、そこから地力で自然地域に脱出させることのできる小動物脱出補助装置に関するものである。
【背景技術】
【０００２】
山や草原あるいは川などのいわゆる自然地域には、高速道路などの道路が多く築造されている。そして、こうした道路の多くには、その両側に雨水を排水するための側溝が設けられている。
【０００３】
こうした側溝には、自然地域に生息している昆虫や蛙などの小動物が落ちてしまい易く、また、落ちた小動物はそこから脱出することができずそのまま死んでしまうといった事態が頻発している。このような人的な原因で多くの小動物が死んでしまうと自然界の循環が崩れてしまい、ひいては自然環境の破壊につながるといった大きな問題を誘発する。
【０００４】
こうした問題に鑑み、これまで側溝に落ちた小動物を地力で脱出させるための装置が創案されている（例えば、特許文献１、２参照）。
【特許文献１】実開平７−２５０２８号公報
【特許文献２】実用新案登録第３０５１７５１号
【０００５】
これらはいずれも、側溝の上端に比較的幅広の水平板を掛け渡し、その水平板に、揺動自在な傾斜板を連設し、側溝に落ちた小動物が傾斜板および水平板を通って脱出できるようにしている。なお、この傾斜板は、側溝の中央部に配置されている。
【考案の開示】
【考案が解決しようとする課題】
【０００６】
しかし、こうした従来の装置には大きな問題がある。すなわち、傾斜板および水平板を通って側溝から脱出した小動物が、自然地域に戻るのではなく、道路側に入ってしまい、そこを走行する自動車に轢かれてしまうといった事態が発生している。
【０００７】
また、水平板が比較的幅広であるため、自然地域に生息している小動物がその水平板をわたって道路側に達し、そこで自動車に轢かれてしまうといった事態も発生している。
【０００８】
さらに、傾斜板は側溝のほぼ中央部に配置されているので、雨水の通過する空間部が狭く、よって、木切れや落ち葉などが傾斜板に引っ掛かり、排水性が悪くなるといった問題も発生している。
【０００９】
本考案はこうした問題に鑑み創案されたもので、山や川などの自然地域に築造された高速道路などの両側に形成された側溝に落ちた小動物が、地力で確実に自然地域に戻ることができ、かつ、自然地域に生息する小動物が道路側にわたってしまうことがなく、さらに、側溝の排水性を悪化させることのない小動物脱出補助装置を提供することを課題とする。
【課題を解決するための手段】
【００１０】
図１乃至図７を参照して説明する。請求項１に記載の考案は、山や川などの自然地域Ｎに築造された高速道路などの道路Ｒの両側に形成された側溝１に取付けられ、当該側溝１に落ちた昆虫や蛙などの小動物Ｓを、自力でそこから前記自然地域Ｎに脱出させることのできる小動物脱出補助装置であって、前記側溝１を形成する左溝壁１ａと右溝壁１ｂの上端部間に、所望間隔をあけて上流側横梁２と下流側横梁３と支持棒８とを相平行させて順次架設する。また、前記上流側横梁２と下流側横梁３との間に、幅が側溝幅Ｗの１／２以下である踏板４を、その一方側端を、前記自然地域Ｎ側である前記左溝壁１ａまたは右溝壁１ｂに近接させた状態で架設する。
【００１１】
また、下端が溝底１ｃに達し且つ、上流に向かって上向きで、幅が前記踏板４と略等しいところの揺動板５の上端を支持棒８によって支持させると共に踏板４に連続する状態で揺動自在に配置する。そして、前記踏板４および揺動板５が設けられていない部分を、水の円滑な流れを促し、かつ、小動物Ｓが移動できない空間部９とする。
【００１２】
図１乃至図４を参考にして説明する。請求項２に記載の考案は、山や川などの自然地域Ｎに築造された高速道路などの道路Ｒの両側に形成された側溝１に取付けられ、当該側溝１に落ちた昆虫や蛙などの小動物Ｓを、自力でそこから前記自然地域Ｎに脱出させることのできる小動物脱出補助装置であって、前記側溝１を形成する左溝壁１ａと右溝壁１ｂの上端部間に、所望間隔をあけて上流側横梁２と下流側横梁３と支持棒８とを相平行させて順次架設する。また、前記上流側横梁２と下流側横梁３との間に、幅が側溝幅Ｗの１／２以下である踏板４を、その一方側端を、前記自然地域Ｎ側である前記左溝壁１ａまたは右溝壁１ｂに近接させた状態で架設する。
【００１３】
また、下端が溝底１ｃに達し且つ、上流に向かって上向きで、幅が前記踏板４と略等しいところの揺動板５の上端下面を支持棒８に回動可能に外嵌した円筒体６に固着すると共に踏板４に連続する状態で揺動自在に配置する。そして、前記踏板４および揺動板５が設けられていない部分を、水の円滑な流れを促し、かつ、小動物Ｓが移動できない空間部９とする。
【００１４】
図５乃至図７を参考にして説明する。請求項３に記載の考案は、山や川などの自然地域Ｎに築造された高速道路などの道路Ｒの両側に形成された側溝１に取付けられ、当該側溝１に落ちた昆虫や蛙などの小動物Ｓを、自力でそこから前記自然地域Ｎに脱出させることのできる小動物脱出補助装置であって、前記側溝１を形成する左溝壁１ａと右溝壁１ｂの上端部間に、所望間隔をあけて上流側横梁２と下流側横梁３と支持棒８とを相平行させて順次架設する。また、前記上流側横梁２と下流側横梁３との間に、幅が側溝幅Ｗの１／２以下である踏板４を、その一方側端を、前記自然地域Ｎ側である前記左溝壁１ａまたは右溝壁１ｂに近接させた状態で架設する。
【００１５】
また、下端が溝底１ｃに達し且つ、上流に向かって上向きで、幅が前記踏板４と略等しいところの揺動板５の上端近傍下面を支持棒８に載せると共に、踏板４に連続する状態で設ける。
【００１６】
そして、前記踏板４の下流側上面と揺動板５の上端部上面との間に、可撓性材料製の薄材片７を掛け渡して取付け、両者間の隙間や段差を塞いで平滑面を形成すると共に、前記揺動板５を揺動自在としている。また、前記踏板４および揺動板５が設けられていない部分を、水の円滑な流れを促し、且つ、小動物Ｓが移動できない空間部９とする。
【００１７】
請求項４に記載の小動物脱出補助装置は、請求項１，２または３に記載の考案において、上流側横梁２および下流側横梁３またはその一方を、小動物Ｓが伝い歩くことが困難な肉細で断面円形状に形成したことを特徴とする。
【考案の効果】
【００１８】
請求項１及び２に記載の小動物脱出補助装置は、踏板４および揺動板５を、側溝幅Ｗの１／２以下の幅とし、その一方側端を左溝壁１ａまたは右溝壁１ｂに近接させた状態で設け、当該踏板４および揺動板５が設けられていない部分を空間部９としたので、側溝１に落ちた昆虫などの小動物Ｓは、確実に地力で自然地域Ｎに戻ることができる。
【００１９】
すなわち、側溝１に落ちた小動物Ｓは、揺動板５を昇り、それに連続する踏板４を通って自然地域Ｎに戻ることができる。この際、揺動板５および踏板４は、その一方側端が自然地域Ｎに近接しており、他方側はこれらが存在しない空間部９であり通過することができないので、小動物Ｓは、当該揺動板５および踏板４に案内されて自然地域Ｎに確実に戻ることができる。従って、自然地域Ｎの反対側である道路Ｒに出てしまい、自動車に轢かれてしまうといったことがない。
【００２０】
また、この小動物脱出補助装置は空間部９を備えているので、自然地域Ｎに生息する昆虫などの小動物Ｓがこの装置をわたって道路Ｒに達し、そこで自動車に轢かれてしまうといったことを未然に防止することができる。
【００２１】
なお、この装置は、幅が側溝幅Ｗの１／２以下である揺動板５を、その一方側端を左溝壁１ａまたは右溝壁１ｂに近接させた状態で設けているので、揺動板５と右溝壁１ｂまたは左溝壁１ａとの間の空間部９を、当該揺動板５を側溝の中央部に設けた従来技術と比較して、幅広に設定することができる。そのため、木切れや落ち葉などが揺動板５に引っ掛かることが少なく、よって排水性を良好に維持することができる。
【００２２】
請求項３に記載の小動物脱出補助装置は、請求項１に記載の考案と同様に、側溝１に落ちた小動物Ｓを自然地域Ｎに確実に戻すことができる。また、自然地域Ｎに生息する小動物Ｓがこの装置を伝って道路Ｒに移動するのを未然に防止することができる。さらに、側溝１の排水性を良好に維持することができる。
【００２３】
また、この装置は、踏板４の下流側上面と揺動板５の上端部上面との間に、可撓性材料製の薄材片７を掛け渡して取付け、両者間の隙間や段差を塞いで平滑面を形成したので、昆虫などの特に小さな小動物Ｓでも確実に揺動板５から踏板４に移り、自然地域Ｎに戻ることができる。
【００２４】
さらに、左溝壁１ａおよび右溝壁１ｂとの間に、揺動板５の上部下面を支持する支持棒８を架設したので、当該揺動板５を安定姿勢に保つことができ、当該装置の耐久性を高めることができる。
【００２５】
請求項４に記載の小動物脱出補助装置は、上流側横梁２および下流側横梁３またはその一方を、小動物Ｓが伝い歩くことが困難な肉細で断面円形状に形成したので、側溝１に落ちた小動物Ｓ、および自然地域Ｎに生息する小動物Ｓが、当該上流側横梁２や下流側横梁３を伝って道路Ｒに達するのを未然に防止することができる。特に、断面円形としたことで、その上面が円弧状で滑り易くなり、小動物が伝い歩くのを阻止することができる。
【考案を実施するための最良の形態】
【００２６】
本考案に係る小動物脱出補助装置の第一実施形態を、図１乃至図４に示す。これは、山である自然地域Ｎに築造された道路（高速道路）Ｒの両側に形成された側溝１に取付けられ、当該側溝１に落ちた昆虫や蛙などの小動物Ｓを、地力でそこから自然地域Ｎに脱出させるためのものである。
【００２７】
この装置は、側溝１を形成する左溝壁１ａと右溝壁１ｂの上端部間に、所定の間隔をあけて上流側と下流側に、小動物Ｓが伝い歩くことが困難な肉細の上流側横梁２と下流側横梁３と支持棒８とを相平行させて順次架設している。また、下流側横梁３を断面円形として滑り易くし、小動物の伝い歩きをさらに困難なものとしている。また、上流側横梁２と下流側横梁３との間に、幅が側溝幅Ｗの１／２以下である踏板４を、その一方側端を、自然地域Ｎ側である左溝壁１ａに近接させた状態で架設している。
【００２８】
また、下端が溝底１ｃに達し且つ、上流に向かって上向きで、幅が踏板４と等しいところの揺動板５の上端下面を支持棒８に回動可能に外嵌した円筒体６に固着すると共に踏板４に連続して揺動自在に配置している。
【００２９】
そして、踏板４および揺動板５が設けられていない右溝壁１ｂ側である右半部を、水の円滑な流れを促し、且つ、小動物Ｓが移動できない空間部９としている。
【００３０】
本実施形態に係る小動物脱出補助装置においては、側溝１に落ちた小動物Ｓが、揺動板５を昇り、それに連続する踏板４を通って自然地域Ｎに戻ることができる。この際、揺動板５および踏板４は、その一方側端が自然地域Ｎに近接しており、他方側はこれらが存在しない空間部９であり、通過することができない。従って、これら揺動板５および踏板４に案内されて自然地域Ｎに確実に戻ることができる。同時に、自然地域Ｎの反対側である道路Ｒに出てしまい、自動車に轢かれてしまうといった事態を未然に防止することができる。
【００３１】
また、自然地域Ｎに生息する昆虫などの小動物Ｓがこの装置をわたって道路Ｒに達し、そこで自動車に轢かれてしまうといった事態も未然に防止することができる。これにより、自然環境を良好に維持することができる。
【００３２】
なお、この装置は、幅が側溝幅Ｗの１／２以下である揺動板５を、その一方側端を左溝壁１ａまたは右溝壁１ｂに近接させた状態で設けているので、揺動板５と右溝壁１ｂまたは左溝壁１ａとの間の空間部９を幅広に設定することができる。そのため、木切れや落ち葉などが揺動板５に引っ掛かることが少なく、よって排水性を良好に維持することができる。
【００３３】
また、この装置においては、揺動板５および踏板４を木製としている。これにより、小動物Ｓが滑ることなく伝い歩くことができるようにし、かつ、周囲の自然環境に調和させて景観を良好に保つことができる。なお、木製であるため自然腐食するので、自然環境を破壊することもない。
【００３４】
本考案に係る小動物脱出補助装置の第二実施形態を、図５乃至図７に示す。この装置の特徴の一つは、踏板４の下流側上面と揺動板５の上端部上面との間に可撓性材料製の薄材片７を掛け渡して取付け、両者間の隙間および段差を塞いで平滑面を形成したことである。これにより、昆虫などの特に小さな小動物Ｓでも、揺動板５と踏板４との間の隙間や段差に挟まることなく、容易かつ確実に自然地域Ｎに戻ることができる。なお、ヒンジの役目も行う薄材片７としては、可撓性に富むゴム材、樹脂材、皮材などを使用することができる。
【図面の簡単な説明】
【００３５】
【図１】本考案に係る小動物脱出補助装置の第一実施形態を示す平面図である。
【図２】図１に示す装置のＡ−Ａ線断面図である。
【図３】図１に示す装置のＢ−Ｂ線断面図である。
【図４】図１に示す装置における軸支部材の一実施態様を示す縦断面図である。
【図５】本考案に係る小動物脱出補助装置の第二実施形態を示す平面図である。
【図６】図５に示す装置のＣ−Ｃ線断面図である。
【図７】図５に示す装置のＤ−Ｄ線断面図である。
【符号の説明】
【００３６】
１      側溝
１ａ    左溝壁
１ｂ    右溝壁
２      上流側横梁
３      下流側横梁
４      踏板
５      揺動板
６      円筒体
８      支持棒
９      空間部
Ｆ      雨水の流れ
Ｎ      自然地域
Ｒ      道路
Ｓ      小動物
Ｗ      側溝幅
【図１】
0003122074.tif 000003
【図２】
0003122074.tif 000004
【図３】
0003122074.tif 000005
【図４】
0003122074.tif 000006
【図５】
0003122074.tif 000007
【図６】
0003122074.tif 000008
【図７】
0003122074.tif 000009